(57)【要約】【課題】内容器を収納する外容器の肩に蓋を着脱自在とし、その肩に、蓋のヒンジピンを外れ止めするロック部材の昇降口を形成し、ロック部材とこの昇降操作機構とをケースに収納し、ケースの収納室を内容器と外容器の間で肩の下方に位置させ、収納室の上端開口からロック部材を昇降口に通した液体貯留ポットにおいて、ケースの収納室から外容器の内側に溢水し難くする。【解決手段】前記肩４の下端に内外二重の下垂壁１５、１６を形成し、前記収納室１１の上端開口を形成する側周壁のうち、前記外容器３の内側に越流する器内溢水部１３ｂを、全域に亘って内外二重の下垂壁１５、１６間に入り込む嵌合構造を採用することにより、収納室１１の上端開口から外容器３の内側に溢水し難くした。【選択図】図５
2008284093.tif 000002
【特許請求の範囲】
【請求項１】
内容器を収納する外容器の肩に蓋を着脱自在とし、前記肩に、前記蓋のヒンジピンを外れ止めするロック部材の昇降口を形成し、前記ロック部材とこの昇降操作機構とをケースに収納し、前記ケースの収納室を前記外容器の内側で前記肩の下方に位置させ、前記収納室の上端開口から前記ロック部材を前記昇降口に通した液体貯留ポットにおいて、前記収納室の上端開口の内周を形成する側周壁のうち、前記外容器の内側に溢水する器内溢水部と、前記肩の下端とを嵌合したことを特徴とする液体貯留ポット。
【請求項２】
前記収納室の内部と前記外容器の外部との間に、前記器内溢水部の溢水縁よりも低い位置で両部を連通させる排水路を形成した請求項１に記載の液体貯留ポット。
【請求項３】
前記外容器の外面形状から内側に入り込む指掛け部を形成し、その指掛け部に前記排水路の出口を開放した請求項２に記載の液体貯留ポット。
【請求項４】
前記肩の下端と前記器内溢水部の溢水縁とを、パッキンを介して突き合わせた請求項１から３のいずれかに記載の液体貯留ポット。
【発明の詳細な説明】
【技術分野】
【０００１】
この発明は、電気ポットや保温ポットなどの液体貯留ポットに関し、特に、蓋のヒンジロック機構に関する。
【背景技術】
【０００２】
一般に、電気ポット、保温ポット等の液体貯留ポットは、内容器を収納する外容器と、この外容器の肩に開閉自在に設けられた蓋とを備えている。内容器は外容器と一体化されている。外容器の肩は、内容器の上端部を支持しており、外容器と内容器の上端部との間を閉じている。
【０００３】
この種の液体貯留ポットの中には、蓋を肩から着脱自在とすることにより、清掃時や水切り時に蓋が邪魔にならず、液体貯留ポットの取り扱い性をよくしたものがある。
【０００４】
従来からある蓋の着脱構造として、内容器を収納する外容器の肩に蓋を着脱自在とし、肩に蓋のヒンジピンを外れ止めするロック部材の昇降口を形成し、ロック部材とこの昇降操作機構とをケースに収納し、ケースの収納室を外容器の内側で肩の下方に位置させ、収納室の上端開口からロック部材を昇降口に通したものがある。ケースの収納室を外容器の内側で肩の下方に位置させれば、ポット転倒時に外容器の外壁で衝撃が緩和されるため、収納室内部のロック部材や操作機構が破損し難くなる（特許文献１参照）。
【０００５】
前掲の特許文献１のケースは、収納室の上端開口の内周を形成する側周壁の一部分が外容器の外面を構成しており、肩と外容器の胴とで挟持されている。その側周壁の上端縁は、略全域に亘って肩の下端に突き合わされており、前記の外面構成部分と反対側の２箇所に肩の下端の突片が差し込まれている。これにより、挟持状態におけるケースの傾きが防止されている。
【０００６】
【特許文献１】特開２００６−１０２１３２号公報（要約書、図１、図４〜図７）
【発明の開示】
【発明が解決しようとする課題】
【０００７】
しかしながら、上述のような液体貯留ポットは、蓋を外容器から取り外した状態で内容器内の水を捨てられるため、外容器を肩の昇降口側に傾けて排水されることが起こり得る。また、内容器に水を補給するときに、水を内容器から溢れさせることも起こり得る。これらが起こると、水が、肩の昇降口に入り、収納室の上端開口から室内に流入し得る。収納室の上端開口縁は、ケースの姿勢安定目的で肩の下端に突き合わされているだけなので、室内に想定外の水が大量に流入すると、突き合わせ面から漏れ、外容器と内容器の間に設置された機構や充電部に水がかかる恐れがある。
【０００８】
そこで、この発明の課題は、内容器を収納する外容器の肩に蓋を着脱自在とし、その肩に、蓋のヒンジピンを外れ止めするロック部材の昇降口を形成し、ロック部材とこの昇降操作機構とをケースに収納し、ケースの収納室を内容器と外容器の間で肩の下方に位置させ、収納室の上端開口からロック部材を昇降口に通した液体貯留ポットにおいて、ケースの収納室から外容器の内側に溢水し難くすることにある。
【課題を解決するための手段】
【０００９】
上記の課題を解決するため、この発明は、内容器を収納する外容器の肩に蓋を着脱自在とし、前記肩に、前記蓋のヒンジピンを外れ止めするロック部材の昇降口を形成し、前記ロック部材とこの昇降操作機構とをケースに収納し、前記ケースの収納室を前記外容器の内側で前記肩の下方に位置させ、前記収納室の上端開口から前記ロック部材を前記昇降口に通した液体貯留ポットにおいて、前記収納室の上端開口の内周を形成する側周壁のうち、前記外容器の内側に溢水する器内溢水部と、前記肩の下端とを嵌合した構成を特徴とするものである。
【００１０】
前記収納室の上端開口の内周を形成する側周壁のうち、前記外容器の内側に溢水する器内溢水部と、前記肩の下端とを嵌合した構成を採用すれば、その嵌合部分でラビリンスシール効果が得られ、外容器の内側にある収納室の上端開口から当該外容器の内側に溢水し難くなる。
なお、前記収納室の上端開口から前記外容器の外側に溢水する器外溢水部と、肩の下端との嵌合は、必須ではなく、適宜に行えばよい。前記外容器の外側に溢水する限り、外容器内の機構や充電部に影響を及ぼさないからである。
【００１１】
前記収納室の内部と前記外容器の外部との間に、前記器内溢水部の溢水縁よりも低い位置で両部を連通させる排水路を形成すれば、前記収納室内の水位が前記の溢水口縁まで達し難くなり、ケースの収納室から外容器の内側により溢水し難くすることができる。
【００１２】
前記外容器の外面形状から内側に入り込む指掛け部を形成し、その指掛け部に前記排水路の出口を開放した構成を採用すれば、外観上、排水路の出口が目立ち難くなる。
【００１３】
前記肩の下端と前記器内溢水部の溢水縁とを、パッキンを介して突き合わせた構成を採用すれば、ケースの収納室から外容器の内側により溢水し難くすることができる。
【発明の効果】
【００１４】
上述のように、この発明は、上記特徴的構成の採用により、ケースの収納室から外容器の内側に溢水し難くすることができる。
【発明を実施するための最良の形態】
【００１５】
以下、この発明の実施形態を添付図面に基づいて説明する。
図１は、第１実施形態に係る液体貯留ポットの全体構成を示している。
図１に示す液体貯留ポット１は、電気ポットとして構成されている。
液体貯留ポット１は、内容器２を収納する外容器３と、この外容器３の肩４に開閉自在かつ着脱自在に設けられた蓋５とを備えている。内容器２は外容器３と一体化されている。肩４は、内容器２の上端部を支持しており、内容器２の上端部と外容器３との間を閉じる部分となっている。
【００１６】
肩４に、蓋５のヒンジピン６を受け入れる受け部７が設けられている。また、肩４に、受け部７に入ったヒンジピン６を外れ止めするロック部材８の昇降口９が形成されている。ロック部材８とこの昇降操作機構とは、ケース１０内に収納されている。ケース１０の収納室１１は、内容器２と外容器３の間で肩４の下方に位置させられる。収納室１１の上端開口からロック部材８が昇降口９に通されている。
【００１７】
図２は、ケース１０の分解斜視を示している。図３（ａ）、（ｂ）は、ケース１０にロック部材９と昇降操作機構とを収納した状態を示している。
ロック部材８は、ロック片８ａと、上下方向の弾性を有する昇降ばね８ｂと、カム面８ｃと、カムリターンばね８ｄとを合成樹脂で一体成形したものが利用されている。カム面８ｃと係合する操作部材１２が、外容器３の外部に露出するように収納室１１に差し込まれている。操作部材１２は、押し込み操作を受けてカム面８ｃと接触することによりロック片８ａを押し下げ、これにより、昇降ばね８ｂが圧縮され、受け部７に入ったヒンジピン６の前方が開放される。すなわち、蓋５の着脱が可能になる。この間、操作部材１２の押し込みにより、カムリターンばね８ｄが圧縮される。操作部材１２の押し込みが無くなると、昇降ばね８ｂ、カムリターンばね８ｄが弾性回復し、ロック片８ａが受け部７に入ったヒンジピン６の前方を塞ぎ、ヒンジピン６を外れ止めする。すなわち、この液体貯留ポット１の昇降操作機構は、ロック部材８と操作部材１２とから構成されている。
【００１８】
図４は、図１のケース１０の部分を拡大して示している。図５は、図４中のＶ−Ｖ線の断面を示している。図６（ａ）は、肩４の昇降口９を下方から示し、図６（ｂ）は、ケース１０を斜め上方内側から示している。
図４〜図６に示すように、収納室１１の上端開口の内周は、収納室１１の側周壁から形成されている。これは、ロック部材８の組み立て口をできるだけ大きくするためであり、ロック部材８等を収納することができる限り、収納室１１に上面壁を形成することも可能である。
収納室１１の側周壁の一部分は、外容器３の外面を構成しており、肩４と外容器３の胴１４とで挟持されている。収納室１１の側周壁のうち、前記の外面構成部１３ａを除いた他の部分は、外容器３の内側に越流する器内溢水部１３ｂになっている。
【００１９】
収納室１１の側周壁のうち、器内溢水部１３ｂを形成する壁部と、肩４の下端とは、上下に嵌合されている。
より具体的には、肩４の下端に、内外二重の下垂壁１５、１６が肩４の外壁から昇降口９を囲むように形成されており、ケース１０は、肩４の下方から器内溢水部１３ｂを内外二重の下垂壁１５、１６間に差し込むようにして嵌合される。この嵌合により、内側の下垂壁１５は、器内溢水部１３ｂを形成する壁部の全域に亘って内側に入り込み、両壁間においてラビリンスシール効果が得られる。このため、収納室１１から外容器３の内側に溢水し難くい。
上記の嵌合は、ふつう嵌めを採用することができるが、しまり嵌めにすれば、肩４の下端と器内溢水部１３ｂとの間のラビリンスシール効果が高められる。
【００２０】
収納室１１の内部と外容器３の外部との間に、器内溢水部１３ｂの溢水縁よりも低い位置で両部を連通させる排水路１７、１８が形成されている。収納室１１内の水位が器内溢水部１３ｂの溢水縁まで達し難くなり、収納室１１から外容器３の内側により溢水し難くい。
【００２１】
排水路１７は、ケース１０に形成された操作部材１２のスライド挿入孔からなる。操作部材１２と排水路１７の内壁との間に、クリアランスが設けられており、円滑な排水が確保されている。クリアランスは、例えば、操作部材１２及び／又は排水路１７の内壁から相手側に向けて突状部を設けることで確保される。
【００２２】
外容器３の外面形状から内側に入り込む指掛け部１９が、収納室１１の側周壁の一面を利用してケース１０と一体に形成されている。排水路１８は、収納室１１の側周壁を貫通しており、排水路１８の出口が指掛け部１９に開放されている。排水路１８の出口は、外容器３の外面形状から内側に入り込んでおり、外観上、目立ち難くい。
【００２３】
図７にこの発明の第２実施形態を示す。この第２実施形態は、内外二重の下垂壁１５、１６の間に、パッキン２０が嵌っている。器内溢水部１３ｂの溢水縁は、パッキン２０を介して肩４の下端に突き合わされている。このため、下垂壁１５と器内溢水部１３ｂとの嵌合壁面間を抜けた水は、パッキン２０で密封される。したがって、収納室１１から外容器の内側により溢水し難くい。
【図面の簡単な説明】
【００２４】
【図１】第１実施形態に係る電気器具の全体構成を示す縦断面図
【図２】図１の液体貯留ポットのケースの分解斜視図
【図３】ａは図１のケースの組み立て状態を肩及びケースの一部を切り欠いて示す部分後面図、ｂはａのｂ−ｂ線の断面図
【図４】図１のケースの部分の拡大図
【図５】図４のＶ−Ｖ線の断面図
【図６】ａは図１の肩の昇降口の部分拡大下面図、ｂは図１のケースの斜め上方内側から示した斜視図
【図７】第２実施形態に係る電気器具の図４に対応する図
【符号の説明】
【００２５】
１  液体貯留ポット
２  内容器
３  外容器
４  肩
５  蓋
６  ヒンジピン
７  受け部
８  ロック部材
８ａ  ロック片
８ｂ  昇降ばね
８ｃ  カム面
８ｄ  カムリターンばね
９  昇降口
１０  ケース
１１  収納室
１２  操作部材
１３ａ  外面構成部
１３ｂ  器内溢水部
１４  胴
１５、１６  下垂壁
１７、１８  排水路
１９  指掛け部
２０  パッキン
【図１】
2008284093.tif 000003
【図２】
2008284093.tif 000004
【図３】
2008284093.tif 000005
【図４】
2008284093.tif 000006
【図５】
2008284093.tif 000007
【図６】
2008284093.tif 000008
【図７】
2008284093.tif 000009